(57)【特許請求の範囲】
【請求項１】
銀膜のない光通過部を形成した鏡本体と、導光板の端面に発光ダイオードからなる光源で投光して導光板の表面を発光させる照明具とを備え、鏡本体の裏面側に照明具を配置して導光板の発光表面を鏡本体の光通過部に臨ませた照明付き鏡装置において、光通過部を鏡本体の側縁部に形成し、光通過部と導光板の間に水膜として広げる毛細管現象を生じさせない隙間を形成したことを特徴とする照明付き鏡装置。
【請求項２】
鏡本体及び導光板の外側から光通過部及び導光板を跨いで光通過部の表側の縁面と導光板の裏面側を挟む取着部材を鏡本体に接合し、鏡本体の裏面と取着部材の間に照明具を保持した請求項１記載の照明付き鏡装置。
【請求項３】
前記発光ダイオードと前記鏡本体の裏面との間に伝熱部材を配置し、発光ダイオードの熱を伝熱部材を介して鏡本体へ放熱させる請求項１記載の照明付き鏡装置。
【請求項４】
前記発光ダイオードと前記取着部材との間に伝熱部材を配置し、発光ダイオードの熱を伝熱部材を介して取着部材へ放熱させる請求項２記載の照明付き鏡装置。
【請求項５】
前記取着部材にヒンジ具を接合して両者を一体化した請求項２又は４に記載の照明付き鏡装置。
【発明の詳細な説明】
【技術分野】
【０００１】
本発明は、鏡本体の銀膜のない光通過部を発光させて照明とする照明付き鏡装置の改良に関するものである。
【背景技術】
【０００２】
従来、照明付き鏡装置としては、電気器具のＯＮ・ＯＦＦ操作のために鏡本体の裏面側に付設した非接触式センサースイッチの位置を視認できるようにするために、センサースイッチの近辺に局部的に銀膜のない小さな光通過部を鏡本体に形成すると共に、導光板の端面に発光ダイオードで投光して導光板の発光表面を発光させる照明具を鏡本体の裏面側に配置して、光通過部を通じて導光板の発光を鏡本体の表面側へ放って照明するようにしたものがある（特許文献１）。この照明付き鏡装置は、照明具が小さな光通過部を通じて照明する小型軽量であるため、照明具を鏡本体裏面に接着又は粘着で簡単に配置することができる。
【先行技術文献】
【特許文献】
【０００３】
【特許文献１】特開２００４−１５２６０９号公開公報
【発明の概要】
【発明が解決しようとする課題】
【０００４】
ところで、発光ダイオードの省エネルギーの特徴を活かして鏡本体の手前側を明るく照明する要請に応えるためには、鏡本来の写す機能を損なわないように鏡鏡本体の上下又は左右の一つの側縁に上下又は左右方向へ沿って光通過部を形成し、従来よりも光通過部の面積を広くすると共に照明具を大きくする必要がある。
【０００５】
しかし、鏡鏡本体の側縁に沿って形成した光通過部と照明具の導光板の間の隙間へ浸入した湿気が結露したときには、結露水がこの隙間による毛細管現象で水膜として不均一に広がると、水膜を形成する部分と形成しない部分とで光通過部を通過する通過光にムラを生じさせ、不均一な照明となって不快感を招くおそれがある。
【０００６】
また、照明具を大きくすることは、照明具を鏡本体裏面に接着又は粘着で簡単に安定よく配置することが困難なため、従来の技術を直ちに用いることができない。
【０００７】
そこで、本発明は、鏡鏡本体の側縁に沿って形成した光通過部と照明具の導光板の間の隙間へ湿気が浸入して結露したとしても、光通過部を通過する通過光にムラが生じさせ難くして均一な照明ができるようにし、また、照明具を安定よく保持することができる照明付き鏡装置の提供を目的とする。
【課題を解決するための手段】
【０００８】
鏡本体の側縁に沿って広い範囲に均一な照明できるようにするために請求項１記載の本発明が採用した手段は、図１乃至図３に示す如く、鏡本体の側縁に沿って広範囲に安定よく且つ均一な照明できるようにするために請求項１記載の本発明が採用した手段は、図１乃至図３に示す如く、銀膜４のない光通過部２ｃを形成した鏡本体２と、導光板６の端面６ａに発光ダイオード７ａからなる光源７で投光して導光板６の表面６ｂを発光させる照明具５とを備え、鏡本体２の裏面側に照明具５を配置して導光板６の発光表面６ｂを鏡本体２の光通過部２ｃに臨ませた照明付き鏡装置において、光通過部２ｃを鏡本体２の側縁部２ａ，２ｂに形成し、光通過部２ｃと導光板６の間に水膜として広げる毛細管現象を生じさせない隙間９を形成したことを特徴とする照明付き鏡装置１である。
【０００９】
請求項１記載の本発明にあっては、導光板と光通過部との間が水膜として広げる毛細管現象を生じさせない隙間となっているため、例え湿気が該隙間へ浸入しても、該隙間において結露水が毛細管現象で水膜として広がることもない。
【００１０】
照明具を安定よく保持して鏡本体の側縁に沿って広い範囲に安定よく且つ均一な照明ができるようにするために請求項２記載の本発明が採用した手段は、図１乃至図３に示す如く、鏡本体２及び導光板６の外側から光通過部２ｃ及び導光板６を跨いで光通過部２ｃの表側の縁面と導光板６の裏面側を挟む取着部材８を鏡本体２に接合１７し、鏡本体２の裏面と取着部材８の間に照明具５を保持した請求項１記載の照明付き鏡装置である。
【００１１】
請求項２記載の本発明にあっては、鏡本体の外側から光通過部及び導光板を跨ぐ取着部材を鏡本体に接合して、鏡本体の裏面と取着部材の間に照明具を安定よく保持することができると共に、安定よく配置した導光板と光通過部との間が水膜として広げる毛細管現象を生じさせない隙間となっているため、例え湿気が該隙間へ浸入しても、該隙間において結露水が毛細管現象で水膜として広がることもない。
【００１２】
発光ダイオードの異常昇温を阻止して長寿命化を図るために請求項３記載の本発明が採用した手段は、図３に示す如く、前記発光ダイオード７ａと前記鏡本体２の裏面２ｄとの間に伝熱部材（保持部材）１６を配置し、発光ダイオード７ａの熱を伝熱部材１６を介して鏡本体２へ放熱させる請求項１記載の照明付き鏡装置１である。
【００１３】
発光ダイオードの異常昇温を阻止して長寿命化を図るために請求項４記載の本発明が採用した手段は、図５に示す如く、前記発光ダイオード７ａと前記取着部材８との間に伝熱部材（保持部材）１６を配置し、発光ダイオード７ａの熱を伝熱部材１６を介して取着部材８へ放熱させる請求項２記載の照明付き鏡装置である。
【００１４】
揺動自在な支持構造が簡単に得られるようにするために請求項５記載の本発明が採用した手段は、図１乃至図３に示す如く、前記取着部材８にヒンジ具１９を接合して両者を一体化した請求項２又は４に記載の照明付き鏡装置である。
【発明の効果】
【００１５】
請求項１記載の本発明に係る照明付き鏡装置は、導光板と光通過部の間に湿気が浸入しても、光通過部における通過光に大きなムラを生じさせることもないため、均一な照明を得ることができる。
【００１６】
請求項２記載の本発明に係る照明付き鏡装置は、鏡本体の裏面側に照明具を取着部材で安定よく配置することができると共に、導光板と光通過部の間に湿気が浸入しても、光通過部における通過光に大きなムラを生じさせることもないため、鏡本体の縁部に沿って広範囲に安定よく且つ均一な照明を得ることができる。
【００１７】
請求項３記載の本発明に係る照明付き鏡装置は、発光ダイオードの熱を鏡本体へ放熱させることで、発光ダイオードの異常昇温を阻止して長寿命化を図ることができる。
【００１８】
請求項４記載の本発明に係る照明付き鏡装置は、発光ダイオードの熱を取着部材へ放熱させることで、発光ダイオードの異常昇温を阻止して長寿命化を図ることができる。
【００１９】
請求項５記載の本発明に係る照明付き鏡装置は、取着部材とヒンジ具を一体化することで、揺動自在な装置の支持構造を簡単に得られるようにすることができる。
【図面の簡単な説明】
【００２０】
【図１】第１及び第５の実施の形態に係る本発明の照明付き鏡装置（以下、「本発明鏡装置」と言う。）１（５１）をキャビネットＢに備えたミラーキャビネット付き洗面台Ａを示すものであって、図（Ａ）は正面図、図（Ｂ）は部分破断した右側面図である。
【図２】第１の実施の形態に係る本発明鏡装置１を示すものであって、図（Ａ）は拡大して中間省略した正面図、図（Ｂ）は図１（Ａ）のイーイ線において拡大して中間省略した右側面図である。
【図３】図１（Ａ）のローロ線で断面して拡大した右側面図である。
【図４】第２の実施の形態に係る本発明鏡装置２１の要部を示す縦断面図である。
【図５】第３の実施の形態に係る本発明鏡装置３１の要部を示す縦断面図である。
【図６】第４の実施の形態に係る本発明鏡装置４１の要部を示す縦断面図である。
【図７】第５の実施の形態に係る本発明鏡装置５１を示すものであって、図（Ａ）は図１（Ａ）のハーハ線における部分破断して拡大した平面図、図（Ｂ）は図１（Ａ）のニーニ線で断面して拡大した平面図である。
【発明を実施するための形態】
【００２１】
（第１の実施の形態）
図１乃至図３に示す第１の実施の形態に係る本発明鏡装置１は、図１に示すミラーキャビネット付き洗面台ＡのキャビネットＢに備えられる開閉式三面鏡Ｃの中央鏡装置Ｃａを構成するものであって、鏡本体２の上下の側縁部２ａ，２ｂの左右幅方向域の全体又は大半から前方へ向かって光を放って鏡本体２の手前側を照明すると共に、鏡本体２の裏側（後側）上下寄りから後方へ向かって光を放ってキャビネットＢの中央の収納部Ｂａ側を照明するようになっている。
【００２２】
本発明鏡装置１は、図２及び図３に示す如く、上下の側縁部２ａ，２ｂの各々に左右方向へ沿って銀膜（反射用膜）４のない光通過部２ｃを形成した鏡本体２と、発光ダイオード（以下、「ＬＥＤ」と言う。）からなる光源７で導光板６の光入射端面６ａに投光して導光板６の発光表面６ｂ及び発光裏面６ｃを発光させる上下の照明具５，５と、鏡本体２及び導光板６の外側から光通過部２ｃ及び導光板６を跨いで光通過部２ｃの表側の上下一方の縁面と導光板６の裏面側を挟むようにして鏡本体２に接合１７した上下の取着部材８，８とを備えている。本発明鏡装置１は、鏡本体２の銀膜４がある裏面２ｄと各取着部材８の間に各照明具５を保持させ、導光板６の発光表面６ｂを鏡本体２の光通過部２ｃに臨ませると共に導光板６の発光裏面６ｃを取着部材８の開口部８ｄを介してキャビネットＢの収納部Ｂａ側に臨ませ、鏡本体２の各光通過部２ｃと各照明具５の導光板６の間に水膜として広げる毛細管現象を生じさせない隙間９を形成してある。本発明鏡装置１は、図３に示すように照明具５等からなる上方寄り照明装置が構成され、照明具５等からなる下方寄り照明装置が上方寄り照明装置と上下対称に構成される。なお、本発明鏡装置１は、他の照明装置等との関係で、上下寄りの照明装置のうち、何れか一方を省略することも可能である。
【００２３】
前記鏡本体２は、図３に示す如く、透明ガラス板３と、透明ガラス板３の裏面の上下の光通過部２ｃ，２ｃを除く箇所に設けた銀膜４と、裏面側領域のうち上下の各照明具５を配置する領域を除いた部分の全部又は適所に接着剤又は粘着剤で接合１１した合成樹脂素材又は木質素材等で成形した裏板１０とを備えている。
【００２４】
前記上下の各照明具５は、図３に示す如く、アクリル（ＰＭＭＡ）製等から形成された導光板６と、導光板６の光入射端部６ａに投光する光源７と、導光板６の発光表面６ｂの反対側である裏面側に設けた反射シート１２と、導光板６の発光裏面６ｃの反対側である表面側に設けた反射シート１３と、導光板６の光入射端部６ａの反対側である端面側に必要に応じて設けた反射シート１４とを備え、光源７から導光板６の光入射端部６ａへ入射した光を光伝達部６ｄで表面反射を繰り返して伝達させ（図中に破線の矢印線ａで示す。）、発光表面６ｂ及び発光裏面６ｃを発光させるようにしてある。導光板６は、鏡本体２の発光表面６ｂ及び発光裏面６ｃと反対側面に凹溝加工を施して複数条の光散乱部６ｅ及び光散乱部６ｆを設け、光伝達部６ｄを伝達する光を散乱させると共に反射シート１２，１３で反射させて発光表面６ｂ及び発光裏面６ｃから出光させるようにしてある。なお、導光板６は、図示省略したが、光散乱部６ｅを発光表面６ｂに設けると共に、光散乱部６ｆを発光裏面６ｃに設けることも可能である。
【００２５】
前記光源７は、図３に示す如く、配線基板７ｂに複数個の小型のＬＥＤ７ａを適宜間隔で列状に実装したもの等が用いられる。光源７は、鏡本体２の裏面２ｄに接着剤または粘着剤で接合１５した保持部材１６に配線基板７ｂを保持させ、ＬＥＤ７ａ等から出る熱を、熱伝導性の良好な接合部１５、保持部材１６及び配線基板７ｂからなる伝熱部材を介して鏡本体２へ放熱させてＬＥＤ７ａの異常昇温を阻止するようにしてある。保持部材１６は、アルミニュウム等の熱伝導性の良好な素材から略Ｌ字状に成形され、配線基板７ｂを保持させ保持片１６ａと、鏡本体２の裏面に接合１５する接合片１６ｂを有する。なお、保持部材１６は、熱伝導性を更に良好とするために、図示は省略したが、接合片１６ｂに、鏡本体２の裏面２ｄに直接当接する凸部と、接合部１５を介して鏡本体２の裏面２ｄに接合する凹部を多数分散させて設けることもある。
【００２６】
前記取着部材８は、図３に示す如く、鏡本体２の外側から鏡本体２の各光通過部２ｃ及び各照明具５の導光板６を前後で跨ぐように折曲げ形成した表側片８ａ，中間片８ｂ及び裏側片８ｃを備え、表側片８ａと裏側片８ｃで光通過部２ｃの表側の上下一方の縁面と導光板６の裏面側を挟むと共に鏡本体２の裏板１０の無い裏面側と裏側片８ｃの間に照明具５の導光板６を配置して、裏側片８ｃを裏板１０にビス等で接合１７することで、保持部材１６を介して鏡本体２と裏側片８ｃで照明具５の導光板６を挟持して保持するようにしてある。裏側片８ｃには、照明具５の導光板６の発光裏面６ｃと対向する位置に開口部８ｄを開口し、発光裏面６ｃの放つ光を開口部８ｄへ通過させてキャビネットＢの収納部Ｂａ側を照明するようにしてある。表側片８ａ及び中間片８ｂは、鏡本体２及び導光板６の端面側を覆う蓋体の役割を担っている。取着部材８は、図２に示す如く、当止め足８ｅを取付けてある。なお、鏡本体２に裏板１０を設けない場合には、図示は省略したが、取着部材８の裏側片８ｃの適所を折曲げ加工する等して鏡本体２の裏面２ｄに接着剤または粘着剤で接合するとよい。
【００２７】
前記隙間９は、図３に示す如く、外部の湿気が浸入して鏡本体２の光通過部２ｃの裏面２ｃ−１や導光板６の発光表面６ｂに結露して付着水滴が生じたとき、付着水滴を両面２ｃ−１，６ｂに架け渡して水膜として広げる毛細管現象を生じさせない隙間寸法Ｇを確保してある。隙間寸法Ｇは、鏡本体２の銀膜４の厚み寸法以上である１ｍｍ以上とし、本例では、銀膜４、接合部１５、保持部材１６の接合片１６ａ及び反射シート１４の厚み寸法の総和２〜４ｍｍとなっている。もし、前記隙間９を設けることなく鏡本体２の光通過部２ｃと導光板６の発光表面６ｂの間が毛細管現象を生じさせる程に狭いときには、結露水が両面２ｃ−１，６ｂの一部分に接触して広がる部分的な水膜となり、光通過部２ｃを通過しようとする通過光に対してこの部分的な水膜が大きなムラを生じさせ、鏡本体２の側縁に沿って広範囲に安定よく且つ均一な照明を得ることができなくなる。
【００２８】
本発明鏡装置１は、図２に示す如く、鏡本体２の上下寄の左右側面を照明具５と共に覆うように、端板１８，１８を取付けて見栄えよくしてある。端板１８，１８は、鏡本体２の裏板１０に、ビス（図示略）等で接合して固定される。また、本発明鏡装置１は、図２及び図３に示す如く、キャビネットＢ（図１参照）に揺動自在に連結して開閉扉を兼用するように、蝶番等からなるヒンジ具１９が取着部材８に取付けられている。
【００２９】
本発明鏡装置１は、光源７の光を導光板６の光伝達部６ｄへ伝達させて導光板６の発光表面６ｂ及び発光裏面６ｃから放って鏡本体２の手前側及びキャビネットＢの収納Ｂａ側を照明する。本発明鏡装置１は、鏡本体２の外側から光通過部２ｃ及び導光板６を跨ぐ取着部材８を鏡本体２に接合１７して、鏡本体２の裏面と取着部材８の間に照明具５を安定よく保持することができると共に、安定よく配置した導光板６と光通過部２ｃとの間が水膜として広げる毛細管現象を生じさせない隙間９となっているため、湿気が該隙間９へ浸入して鏡本体２の光通過部２ｃの裏面２ｃ−１や導光板６の発光表面６ｂに結露しても、該隙間９において結露水が毛細管現象で水膜として広がることもないため、鏡本体２における光通過部２ｃにおける通過光に大きなムラを生じさせることもなく、鏡本体２の縁部２ａ，２ｂに沿って広範囲に安定よく且つ均一な照明を得ることができる。
【００３０】
本発明鏡装置１は、ＬＥＤ７ａ等が生ずる熱を、熱伝導性の良好な接合部１５、保持部材１６及び配線基板７ｂからなる伝熱部材で鏡本体２へ放熱させることで、ＬＥＤ７ａの異常昇温を阻止して長寿命化を図ることができる。また、本発明鏡装置１は、取着部材８とヒンジ具１９を一体化することで、揺動自在な支持構造を簡単に得るこができるようになる。
【００３１】
（第２の実施の形態）
図４に示す第２の実施の形態に係る本発明鏡構造２１は、取着部材８の裏側片８ｃに光通過用の開口部を設けることなくキャビネットＢの収納部Ｂａ側を照明しないようにした点、及び導光板６の固定構造が第１の実施の形態（図１〜図３）と大きく異なり、その他の部分については第１の実施の形態（図１〜図３）と実質的に同一であり、図４において図３と同一符号は相当部分を示す。
【００３２】
照明具５を構成する導光板６は、鏡本体２の光通過部２ｃと対面しない部分が、保持部材１６の接合片１６ｂ及び取着部材８の裏側片８ｃとの間に隙間２２，２３を形成してある。これら隙間２２，２３は、導光板６のエバネッセント光を接合片１６ｂや裏側片８ｃに至らしめない隙間寸法とし、光損失を少なくしてある。
【００３３】
導光板６の固定構造は、左右両端面を端板１８，１８（図２参照）に凹凸嵌合、接着又は粘着等で接合し、端板１８，１８を介して鏡本体２に固定してある。また、導光板６の固定構造の別態様としては、図示は省略したが、導光板６の左右両側縁を保持部材１６の接合片１６ｂより左右外側へ延設させ、延設させた導光板６の左右両側縁を鏡本体２の銀膜４と取付部材８の裏側片８ｃとで挟んで固定させることもある。このときには、導光板６の表面側と鏡本体２の銀膜４との間にスペーサを介在させると共に、導光板６の裏面側と取付部材８の裏側片８ｃとの間にスペーサを介在させるとよい。
【００３４】
（第３の実施の形態）
図５に示す第３の実施の形態に係る本発明鏡構造３１は、取着部材８の裏側片８ｃに光通過用の開口部を設けることなくキャビネットＢの収納部Ｂａ側を照明しないようにした点、鏡本体２の裏板１０と取着部材８の裏側片８ｃの間に保持部材１６の接合片１６ｂを挟持させ点、及び導光板６の固定構造が第１の実施の形態（図１〜図３）と大きく異なり、その他の部分については第１の実施の形態（図１〜図３）と実質的に同一であり、図５において図３と同一符号は相当部分を示す。
【００３５】
本発明鏡構造５１は、ＬＥＤ７ａ等から出る熱を、熱伝導性の良好な保持部材１６からなる伝熱部材を介して取着部材８へ放熱させてＬＥＤ７ａの異常昇温を阻止することができる。
【００３６】
導光板６の固定構造は、前記第２の実施の形態と同様に、左右両端面を端板１８，１８（図２参照）に凹凸嵌合、接着又は粘着等で接合し、端板１８，１８を介して鏡本体２に固定してある。また、導光板６の固定構造の別態様としては、図示は省略したが、導光板６の左右両側縁に非発光部を延設させ、延設させた導光板６の左右両側縁を鏡本体２の透明ガラス板３の左右両側縁と取付部材８の裏側片８ｃとで挟んで固定させることもある。このときには、延設させた導光板６の左右両側縁と透明ガラス板３の左右両側縁との間にスペーサを介在させるとよい。
【００３７】
（第４の実施の形態）
図６に示す第４の実施の形態に係る本発明鏡構造４１は、鏡本体２の裏板１０と取着部材８の裏側片８ｃの間に保持部材１６の接合片１６ｂを挟持させると共に、鏡本体２の裏面２ｄに導光板６を接着剤または粘着剤で接合１５した点が第１の実施の形態（図１〜図３）と大きく異なり、その他の部分については第１の実施の形態（図１〜図３）と実質的に同一であり、図６において図３と同一符号は相当部分を示す。
【００３８】
本発明鏡構造４１は、ＬＥＤ７ａ等から出る熱を、熱伝導性の良好な保持部材１６からなる伝熱部材を介して取着部材８へ放熱させてＬＥＤ７ａの異常昇温を阻止することができる。
【００３９】
（第５の実施の形態）
図１に示す第５の実施の形態に係る本発明鏡構造５１は、ミラーキャビネット付き洗面台ＡのキャビネットＢに備えられる開閉式三面鏡Ｃの左右の脇鏡装置Ｃｂ，Ｃｃ（左右の脇鏡装置Ｃｂ，Ｃｃは左右対称の構造である。）を構成するものであって、鏡本体５２の左右の側縁部５２ａ（又は５２ｂ）の上下幅方向域の全体又は大半から前方へ向かって光を放って鏡本体５２の手前側を照明すると共に、鏡本体５２の左右の側縁部５２ａ（又は５２ｂ）の裏側（後側）から後方へ向かって光を放ってキャビネットＢの脇側の収納部Ｂｂ側を照明するようになっている。
【００４０】
左側の脇鏡装置Ｃｂを構成する本発明鏡装置５１は、図７に示す如く、左の側縁部５２ａに上下方向へ沿って銀膜４のない光通過部５２ｃを形成した鏡本体５２と、ＬＥＤからなる光源７で導光板６の光入射端面６ａに投光して導光板６の発光表面６ｂ及び発光裏面６ｃを発光させる照明具５と、鏡本体５２及び導光板６の外側から光通過部５２ｃ及び導光板６を跨ぐようにして鏡本体５２に接合１７した取着部材８とを備え、鏡本体５２の銀膜４がある裏面５２ｄと取着部材８の間に照明具５を保持させ、導光板６の発光表面６ｂを鏡本体５２の光通過部５２ｃに臨ませると共に導光板６の発光裏面６ｃを取着部材８の開口部８ｄを介してキャビネットＢの収納部Ｂｂ側に臨ませ、鏡本体５２の光通過部５２ｃと照明具５の導光板６の間に水膜として広げる毛細管現象を生じさせない隙間９を形成してある。なお、右側の脇鏡装置Ｃｃを構成する本発明鏡装置５１は、左側の脇鏡装置Ｃｂを構成する本発明鏡装置５１と左右対称の構造となる。
【００４１】
前記鏡本体５２は、図７に示す如く、第１の実施の形態と同様に、透明ガラス板３と、透明ガラス板３の裏面の光通過部５２ｃを除く箇所に設けた銀膜４と、裏面側領域のうち照明具５を配置する領域を除いた部分の全部又は適所に接着剤又は粘着剤で接合１１した合成樹脂素材又は木質素材等で成形した裏板１０とを備えている。
【００４２】
前記照明具５は、図７に示す如く、第１の実施の形態と同様に、導光板６、光源７、反射シート１２、反射シート１３及び反射シート１４を備え、光源７から導光板６の光入射端部６ａへ入射した光を光伝達部６ｄで表面反射を繰り返して伝達させ（図中に破線の矢印線ａで示す。）、発光表面６ｂ及び発光裏面６ｃを発光させるようにしてある。導光板６は、鏡本体５２の発光表面６ｂ及び発光裏面６ｃと反対側面に凹溝加工を施して複数条の光散乱部６ｅ及び光散乱部６ｆを設け、光伝達部６ｄを伝達する光を散乱させると共に反射シート１２，１３で反射させて発光表面６ｂ及び発光裏面６ｃから出光させるようにしてある。
【００４３】
前記光源７は、図７に示す如く、第１の実施の形態と同様に、配線基板７ｂに複数個の小型のＬＥＤ７ａを適宜間隔で列状に実装したもの等が用いられる。光源７は、鏡本体５２の裏面５２ｄに接着剤または粘着剤で接合１５した保持部材１６に配線基板７ｂを保持させ、ＬＥＤ７ａ等から出る熱を、熱伝導性の良好な接合部１５、保持部材１６及び配線基板７ｂからなる伝熱部材を介して鏡本体５２へ放熱させてＬＥＤ７ａの異常昇温を阻止するようにしてある。
【００４４】
前記取着部材８は、図７に示す如く、第１の実施の形態と同様に、鏡本体５２の外側から鏡本体５２の光通過部５２ｃ及び照明具５の導光板６を前後で跨ぐように折曲げ形成した表側片８ａ，中間片８ｂ及び裏側片８ｃを備え、表側片８ａと裏側片８ｃで光通過部５２ｃの表側の左縁面と導光板の裏面側を挟むと共に鏡本体５２の裏面側と裏側片８ｃの間に照明具５の導光板６を配置して、裏側片８ｃを裏板１０にビス等で接合１７することで、保持部材１６を介して鏡本体２と裏側片８ｃで導光板６を挟持するようにしてある。鏡本体５２の裏面側と裏側片８ｃの間に照明具５の導光板６を配置するようにして、裏板１０にビス等で接合１７することで、保持部材１６を介して鏡本体５２と裏側片８ｃで導光板６を挟持するようにしてある。裏側片８ｃには、照明具５の導光板６の発光裏面６ｃと対向する位置に上下方向へ延びる開口部８ｄを開口し、発光裏面６ｃの放つ光を開口部８ｄへ通過させてキャビネットＢの収納部Ｂｂ側を照明するようにしてある。
【００４５】
前記隙間９は、図６に示す如く、第１の実施の形態と同様に、外部の湿気が浸入して鏡本体５２の光通過部５２ｃの裏面５２ｃ−１や導光板６の発光表面６ｂに結露して付着水滴が生じたとき、付着水滴を両面５２ｃ−１，６ｂに架け渡して水膜として広げる毛細管現象を生じさせない隙間寸法Ｇを確保してある。
【００４６】
本発明鏡装置５１は、図７及び図１に示す如く、鏡本体５２の上下の側縁に覆蓋部５８，５８を取付け、導光板６及び照明具５を共に覆って見栄えよくしてある。また、本発明鏡装置５１は、キャビネットＢ（図１参照）に揺動自在に連結して開閉扉を兼用するように、蝶番等からなるヒンジ具１９が取着部材８に取付けられている。
【００４７】
本発明鏡装置５１は、光源７の光を導光板６の光伝達部６ｄへ伝達させて導光板６の発光表面６ｂ及び発光裏面６ｃから放って鏡本体５２の手前側及びキャビネットＢの収納Ｂｂ側を照明する。本発明鏡装置５１は、鏡本体５２の外側から光通過部５２ｃ及び導光板６を跨ぐ取着部材８を鏡本体５２に接合１７して、鏡本体５２の裏面と取着部材８の間に照明具５を安定よく保持することができると共に、安定よく配置した導光板６と光通過部２ｃとの間が水膜として広げる毛細管現象を生じさせない隙間９となっているため、例え湿気が該隙間９へ浸入して鏡本体５２の光通過部５２ｃの裏面５２ｃ−１や導光板６の発光表面６ｂに結露しても、隙間９において結露水が毛細管現象で水膜として広がることもないため、鏡本体５２における光通過部５２ｃにおける通過光に大きなムラを生じさせることもなく、鏡本体５２の縁部５２ａに沿って広範囲に安定よく且つ均一な照明を得ることができる。また、本発明鏡装置５１は、ＬＥＤ７ａ等が生ずる熱を鏡本体５２へ放熱させることで、ＬＥＤ７ａの異常昇温を阻止して長寿命化を図ることができる。
【００４８】
（その他の実施の形態）
図７に示す本発明鏡装置５１に下記変更を加えて、その他の実施の形態の本発明鏡装置とすることも可能である。
【００４９】
第１の変更は、鏡本体５２の両側の縁部に、光通過部５２ｃ、照明具５及び取着部材８からなる照明装置を設けることである。
【００５０】
第２の変更は、第２の実施の形態（図４参照）又は第３の実施の形態（図５参照）と同様に、取着部材８の裏側片８ｃに光通過用の開口部を設けないようにして、キャビネットＢの収納部Ｂｂ側を照明しないようにすること。
【００５１】
第３の変更は、第４の実施の形態（図６参照）と同様に、鏡本体５２の裏板１０と取着部材８の裏側片８ｃの間に保持部材１６の接合片１６ｂを挟持させると共に、鏡本体５２の裏面５２ｄに導光板６を接着剤または粘着剤で接合することである。
【符号の説明】
【００５２】
１（２１，３１，４１，５１) …本発明鏡装置、２…鏡本体、２ａ…上方の側縁部、２ｂ…下方の側縁部、２ｃ…光通過部、２ｃ−１…光通過部の裏面、２ｄ…裏面、３…透明ガラス板、４…銀膜、５…照明具、６…導光板、６ａ…光入射端面、６ｂ…発光表面、６ｃ…発光裏面、６ｄ…光伝達部、６ｅ…光散乱部、６ｆ…光散乱部、７…光源、７ａ…ＬＥＤ、７ｂ…基板、８…取着部材、８ａ…表側片、８ｂ…中間片、８ｃ…裏側片、８ｄ…開口部、８ｅ…当止め足、９…隙間、１０…裏板、１１…接合、１２…反射シート、１３…反射シート、１４…反射シート、１５…接合部、１６…保持部材、１６ａ…保持片、１６ｂ…接合片、１７…接合、１８…端板、１９…ヒンジ具、５２…鏡本体、５２ａ…左方の側縁部、５２ｂ…右方の側縁部、５２ｃ…光通過部、５２ｃ−１…光通過部の裏面、５２ｄ…裏面、５８…覆蓋部材、Ａ…ミラーキャビネット付き洗面台、Ｂ…キャビネット、Ｂａ…中央の収納部、Ｂｂ…脇の収納部、Ｃ…三面鏡、Ｃａ…中央鏡装置、Ｃｂ（Ｃｃ）…脇鏡装置、Ｇ…隙間寸法
【図１】
0005612871.tif 000002
【図２】
0005612871.tif 000003
【図３】
0005612871.tif 000004
【図４】
0005612871.tif 000005
【図５】
0005612871.tif 000006
【図６】
0005612871.tif 000007
【図７】
0005612871.tif 000008